(57)【要約】  【課題】冷蔵室のドア開閉が増加する夏場においても、野菜室の能力を確保する使い勝手を高めた冷蔵庫を提供する。  【解決手段】カバダクト１８に製氷室４の戻り風路１８ｂの一部を分流させ野菜室６に冷気を分散させながら吐出させる複数の吐出を設けた野菜室用冷却風路Ａ，Ｂを設けたことにより、温度の低い製氷室４の戻り冷気によって野菜室６を冷却させることにより、夏場の冷蔵室２のドア開閉が増え、冷蔵室２の温度が上昇しても野菜室６は影響を受けず野菜室６の冷却能力を確保することができる。【選択図】図２
2006226623.tif 000002
【特許請求の範囲】
【請求項１】
冷蔵庫本体と、この本体の上部に冷蔵食品等を貯蔵する冷蔵室と、前記冷蔵室の下部に設けられた冷凍からチルド、冷蔵まで切替え可能な切替室と、前記冷蔵室の下部で前記切替室に並列配置された製氷及び氷の貯蔵を行う製氷室と、前記冷蔵庫本体下部に設けられた冷凍室と、並列配置された前記製氷室及び切替室と冷凍室の間に設けられた、野菜類を貯蔵する野菜室と、前記野菜室と前記冷凍室を仕切る仕切り壁と、前記野菜室、前記製氷室及び前記切替室の奥に設置した冷却器と、前記冷却器で冷却された冷気を前記製氷室、前記切替室及び前記冷凍室へ導く吐出風路、及び前記製氷室と前記切替室を冷却した冷気を前記冷却器に導くための戻り風路を内蔵した、前記冷却器の前に設置されたカバダクトと、前記カバダクトに内蔵し製氷室の戻り風路の一部を分流させた野菜室用冷却風路を備え、前記野菜室用冷却風路に冷気を分散させながら吐出させる複数の吐出口を設けたことを特徴とする冷蔵庫。
【請求項２】
前記カバダクトに内蔵した切替室戻り風路よりも前方に野菜室用戻り風路を設けたことを特徴とした請求項１に記載の冷蔵庫。
【請求項３】
前記カバダクトに内蔵した野菜室用冷却風路を上下に配置したことを特徴とした請求項１または２に記載の冷蔵庫。
【発明の詳細な説明】
【技術分野】
【０００１】
本発明は、冷蔵庫の冷却風路に関するものである。
【背景技術】
【０００２】
近年、様々なレイアウトの冷蔵庫が発売されている（例えば、特許文献１参照）。
【０００３】
図４は、特許文献１に記載された従来の冷蔵庫を示すものである。図４に示すように冷蔵庫本体１と、この本体の上部に設けられた冷蔵室２と、冷蔵室の下に設けられた切替室３と、冷蔵室の下で切替室に並列に設けられた製氷室４と、本体下部設けられた冷凍室５と、並列に設置された切替室及び製氷室と冷凍室の間に設けられた野菜室６と、冷気を生成する冷却器７と、冷気を各室に供給するファン装置８とを有し、冷凍室に冷気を供給するための冷凍室用送風路９と、製氷室に冷気を供給するための製氷用送風路１０と、製氷室から冷気を冷却室に戻す製氷室用帰還風路１１と、製氷室用送風路を通る冷気の一部を分流させて、切替室に送る切替室用送風路１２と、切替室から冷気を冷却器に戻すための切替室用帰還風路１３と、切替室用送風路を通る冷気の一部を分流させて、冷蔵室に送る冷蔵室用送風路１４と、冷蔵室に送られた冷気を野菜室に戻すための冷蔵室用帰還風路１５と、野菜室に送ら冷気を冷却器に戻すための野菜室用帰還風路１６から構成される。
【特許文献１】特許第３２１２９５４号公報
【発明の開示】
【発明が解決しようとする課題】
【０００４】
しかしながら上記従来の構成では、冷蔵室の戻り冷気で野菜室の冷却をカバーせねばならず、夏場、冷蔵室の扉開閉が増えた場合、冷蔵室の戻り空気の温度上昇により野菜室の冷却能力が大幅にダウンし、野菜室の温度が上昇し、野菜室の保鮮性が落ちるという課題を有していた。
【０００５】
本発明は、上記従来の課題を解決するもので、使い勝手を高めた冷蔵庫において、冷蔵室のドア開閉が増加する夏場においても、野菜室の能力を確保する冷蔵庫提供することを目的とする。
【課題を解決するための手段】
【０００６】
上記従来の課題を解決するために、本発明の冷蔵庫は、上部に冷蔵食品等を貯蔵する冷蔵室と、前記冷蔵室の下部に設けられた冷凍からチルド、冷蔵まで切替え可能な切替室と、前記冷蔵室の下部で前記切替室に並列配置された製氷及び氷の貯蔵を行う製氷室と、前記冷蔵庫本体下部に設けられた冷凍室と、並列配置された前記製氷室及び切替室と冷凍室の間に設けられた、野菜類を貯蔵する野菜室と、前記野菜室と前記冷凍室を仕切る仕切り壁と、前記野菜室、前記製氷室及び前記切替室の奥に設置した冷却器と、前記冷却器で冷却された冷気を前記製氷室、前記切替室及び前記冷凍室へ導く吐出風路及び前記製氷室と前記切替室を冷却した冷気を前記冷却器に導くための戻り風路を内蔵した、前記冷却器の前に設置されたカバダクトと、前記カバダクトに内蔵し製氷室の戻り風路の一部を分流させた野菜室用冷却風路を備え、前記野菜室用冷却風路に冷気を分散させながら吐出させる複数の吐出口を設けたものである。
【０００７】
これによって、温度の低い製氷室の戻り冷気によって野菜室を冷却させることにより、夏場冷蔵室のドア開閉が増え冷蔵室の温度が上昇しても野菜室は影響を受けにくくなる。
【発明の効果】
【０００８】
本発明の冷蔵庫は、カバダクトに製氷室の戻り風路の一部を分流させ野菜室に冷気を分散させながら吐出させる複数の吐出を設けた野菜室用冷却風路を設けたことにより、温度の低い製氷室の戻り冷気によって野菜室を冷却させることにより、夏場冷蔵室のドア開閉が増え冷蔵室の温度が上昇しても野菜室は影響を受けず野菜室の冷却能力を確保することができる。
【発明を実施するための最良の形態】
【０００９】
請求項１に記載の発明は、冷蔵庫本体と、この本体の上部に冷蔵食品等を貯蔵する冷蔵室と、前記冷蔵室の下部に設けられた冷凍からチルド、冷蔵まで切替え可能な切替室と、前記冷蔵室の下部で前記切替室に並列配置された製氷及び氷の貯蔵を行う製氷室と、前記冷蔵庫本体下部に設けられた冷凍室と、並列配置された前記製氷室及び切替室と冷凍室の間に設けられた、野菜類を貯蔵する野菜室と、前記野菜室と前記冷凍室を仕切る仕切り壁と、前記野菜室、前記製氷室及び前記切替室の奥に設置した冷却器と、前記冷却器で冷却された冷気を前記製氷室、前記切替室及び前記冷凍室へ導く吐出風路及び前記製氷室と前記切替室を冷却した冷気を前記冷却器に導くための戻り風路を内蔵した、前記冷却器の前に設置されたカバダクトと、前記カバダクトに内蔵し製氷室の戻り風路の一部を分流させた野菜室用冷却風路を備え、前記野菜室用冷却風路に冷気を分散させながら吐出させる複数の吐出口を設けたことにより、夏場冷蔵室のドア開閉が増え冷蔵室の温度が上昇しても野菜室は影響を受けず野菜室の冷却能力を確保することができる。
【００１０】
請求項２に記載の発明は、請求項１に記載の発明において、前記カバダクトに内蔵した切替室戻り風路よりも前方に野菜室用戻り風路を設けたものであり、それぞれの戻り風路抵抗を小さくすることができ、さらに野菜室の冷却能力を高めることができる。
【００１１】
請求項３記載の発明は、請求項１または２に記載の発明において、カバダクトに内蔵した野菜室用の冷却風路を上下に配置したことにより、さらに野菜室上下の温度分布も改善することができる。
【００１２】
以下、本発明の実施の形態について、図面を参照しながら説明する。なお、この実施の形態によってこの発明が限定されるものではない。
【００１３】
（実施の形態１）
図１は本発明の実施の形態１における冷蔵庫の正面図である。図２は本発明の実施の形態１における冷蔵庫の風路を示す正面図である。図３は本発明の実施の形態１における冷蔵庫の断面図である。
【００１４】
図１において、１は冷蔵庫本体であり、最上部に冷蔵室２と、冷蔵室２との下方に切替室３と、並列配置された製氷及び氷の貯蔵を行う製氷室４と、本体下部に設けられた冷凍室５と、並列配置した製氷室４及び切替室３と冷凍室５の間に設けられた、野菜類を貯蔵する野菜室６を有する。
【００１５】
図２、３において、７は冷却器であり、野菜室６及び製氷室４及び切替室３の奥に設置され、製氷室４及び切替室３及び冷凍室５を冷却する。１７は仕切り壁であり野菜室６と冷凍室５を仕切っている。１８はカバダクトであり、冷却器７で冷却された冷気を製氷室４及び切替室３及び冷凍室５へ導く吐出風路１８ａ及び戻り風路１８ｂを内蔵しており、冷却器７の前に設置される。１８ｃは野菜室用冷却風路Ａ、１８ｄは野菜室用冷却用風路Ｂであり、カバダクト１８に上下に複数内蔵され製氷室戻り風路の一部を分流させ野菜室に冷気を分散させながら吐出させる。そして、野菜室用冷却風路Ａ、野菜室用冷却用風路Ｂの前方には複数の吐出口をそれぞれ設けている。
【００１６】
１８ｅは野菜室用戻り風路であり、切替室３の戻り風路１８ｂよりも前方に配置して独立して冷却器７に戻るように設けたものであり、野菜室６の冷気を冷却器７に導くものである。８はファン装置であり、冷却器７で発生した冷気を循環させる。
【００１７】
なお、野菜室用戻り風路１８ｅは、切替室３の戻り風路１８ｂよりも前方に配置して途中で合流して冷却器７に戻るように設けてもよい。
【００１８】
このような構成において作用を説明する。冷却器７によって発生した冷気はファン装置８によりカバダクト１８の吐出風路１８ａに導かれ製氷室４及び切替室３及び冷凍室５に供給され各部屋を冷却し、カバダクト１８の戻り風路１８ｂに導かれ冷却器７に帰還する。製氷室を冷却した冷気は野菜室用冷却風路Ａ１８ｃ、野菜室用冷却用風路Ｂ１８ｄより野菜室を上下ムラなく冷却し、切替室戻り風路の前面に配置した野菜室戻り風路１８ｅから冷却器に導かれるので、夏場冷蔵室のドア開閉が増え冷蔵室の温度が上昇しても野菜室は影響を受けず野菜室の冷却能力を確保することができるとともに、野菜室６の上下全体の温度分布も改善することができる。
【００１９】
また、野菜室用戻り風路１８ｅは、切替室３の戻り風路１８ｂよりも前方に配置して独立して冷却器７に戻るように設けたことにより、それぞれの戻り風路１８Ｂおよび１８ｅの風路抵抗を小さくすることができ、さらに野菜室６の冷却能力を高めることができる。
【００２０】
以上のように本実施の形態においてはカバダクトに内蔵した製氷室戻り風路の一部を分流させ野菜室に冷気を分散させながら吐出させる複数の吐出設けた野菜室用冷却風路を備えたことにより、夏場冷蔵室のドア開閉が増え冷蔵室の温度が上昇しても野菜室は影響を受けず野菜室の冷却能力を確保することができる。
【産業上の利用可能性】
【００２１】
以上のように、本発明にかかる冷蔵庫は、カバダクトに内蔵した製氷室戻り風路の一部を分流させ野菜室に冷気を分散させながら吐出させる複数の吐出設けた野菜室用冷却風路を備えたことにより、夏場冷蔵室のドア開閉が増え冷蔵室の温度が上昇しても野菜室は影響を受けず野菜室の冷却能力を確保することが可能となるので、冷凍機器全般の冷却方法の用途にも適用できる。
【図面の簡単な説明】
【００２２】
【図１】本発明の実施の形態１における冷蔵庫の正面図
【図２】本発明の実施の形態１における冷蔵庫の風路を示す正面図
【図３】本発明の実施の形態１における冷蔵庫の断面図
【図４】従来の冷蔵庫の風路を示す正面図
【符号の説明】
【００２３】
１    冷蔵庫本体
２    冷蔵室
３    切替室
４    製氷室
５    冷凍室
６    野菜室
１７  仕切り壁
１８  カバダクト
１８ａ  吐出風路
１８ｂ  戻り風路
１８ｃ  野菜室用冷却風路Ａ
１８ｄ  野菜室用冷却風路Ｂ
１８ｅ  野菜室用戻り風路
【図１】
2006226623.tif 000003
【図２】
2006226623.tif 000004
【図３】
2006226623.tif 000005
【図４】
2006226623.tif 000006